(57)【特許請求の範囲】
【請求項１】
液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアは、その縦方向の全領域において、横方向の中央領域が加圧されて、前記中央領域の繊維密度が、横方向の両側領域の繊維密度よりも高くされ、前記下層の吸収コアの剛軟度は、前記中央領域が、前記両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とする吸収性物品。
【請求項２】
液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアには、その縦方向の全領域において、横方向の中央領域に補強部材が設けられ、前記下層の吸収コアの剛軟度は、前記中央領域が、横方向の両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とする吸収性物品。
【請求項３】
液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアは、その縦方向の全領域において、横方向の中央領域が横方向の両側領域よりも熱融着した熱可塑性繊維を多く含み、前記下層の吸収コアの剛軟度は、前記中央領域が、前記両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とする吸収性物品。
【請求項４】
液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアは、その縦方向の全領域において、横方向の中央領域が、横方向の両側領域よりも高吸収性ポリマーを多く含み、あるいは前記中央領域にのみ高吸収性ポリマーが含まれており、前記下層の吸収コアの剛軟度は、前記中央領域が、前記両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とする吸収性物品。
【請求項５】
前記中央領域では、前記下層の吸収コアが全面的に加圧されている請求項１に記載の吸収性物品。
【請求項６】
前記中央領域の横方向の幅寸法が１０ｍｍ以上で６０ｍｍ以下である請求項１ないし５のいずれかに記載の吸収性物品。
【請求項７】
液を吸収しない未使用時において、前記中央領域における積層体のＪＩＳ・Ｐ８１２５テーパースティフネステストで測定した縦方向の剛軟度が、前記両側領域における積層体の縦方向の剛軟度の２倍以上である請求項１ないし６のいずれかに記載の吸収性物品。
【請求項８】
前記両側領域での積層体のＪＩＳ・Ｐ８１２５テーパースティフネステストで測定した縦方向の剛軟度が、液を吸収しない未使用時において１９ｍＮ・ｃｍ以上で４００ｍＮ・ｃｍ以下である請求項１ないし７のいずれかに記載の吸収性物品。
【請求項９】
前記中央領域に、横方向に延びる軟質化された折曲部が設けられ、この折曲部を介して縦方向に重なる状態に折り曲げ可能とされている請求項１ないし８のいずれかに記載の吸収性物品。
【発明の詳細な説明】
【０００１】
【発明の属する技術分野】
本発明は、失禁患者や老人用などに使用される尿取りパッド、失禁パッドまたは生理用ナプキンなどの吸収性物品に係り、特にパンツ、おむつなどの外部装着体の内側に重ねて使用する際に、縒れやたくれが生じることなく安定して装着できる吸収性物品に関する。
【０００２】
【従来の技術】
尿取りパッド、失禁パッドまたは生理用ナプキンなどの吸収性物品は、パンツやおむつなどの外部装着体の内側に重ねて使用するのが一般的である。
【０００３】
また、この種の吸収性物品は、液透過性のトップシートと液不透過性のバックシートとの間に吸収コアが介装されている構造であるが、さらに横方向の両側部に、ゴムなどの弾性体を配したレッグギャザーや、装着者の肌方向に立ち上がる立体ギャザーが形成されているものがある。
【０００４】
【発明が解決しようとする課題】
従来の吸収性物品は、装着者の肌に対する装着感を考慮して、製品そのものをできる限る柔軟にしている。しかし、パンツやおむつなどの外部装着体の内側に重ねて使用する際に重要である装着しやすさや、縒れやたくれを防止することについてはほとんど考慮されていなかった。
【０００５】
特に、前記レッグギャザーや立体ギャザーが形成されたものでは、ギャザーを形成するための弾性部材が、横方向の両側部において縦方向に延びるように取り付けられているため、外部装着体に重ねるときに吸収性物品が変形しやすい。その結果、
（１）吸収性物品をパンツやおむつなどの外部装着体の内側にフラットな状態で装着することが難しい。
【０００６】
（２）外部装着体の内側に吸収性物品を当てるときに縒れやたくれが生じやすく、さらに装着状態での体の動きにより前記縒れやたくれが発生し、または縒れやたくれが増大し、その結果体液の横漏れが生じやすくなる。
【０００７】
（３）吸収性物品を、外部装着体の最下部に正確に当てることが難しい。特にパンツの内側に装着するときには、吸収性物品をパンツのウエスト開口部から内部に挿入し、そのままパンツ内に脚部を挿入して装着することになるため、パンツが身体に完全に装着されるまでの間に、パンツ内での吸収性物品の位置ずれや、縒れまたはたくれが発生しやすい。
【０００８】
本発明は上記従来の課題を解決するものであり、外部装着体の内側に重ねたときに縒れやたくれが発生しにくく、身体に確実にフィットできるようにした吸収性物品を提供することを目的としている。
【０００９】
また本発明は、パンツなどの外部装着体の最下部の中央部に確実に位置決めして装着できるようにした吸収性物品を提供することを目的としている。
【００１０】
【課題を解決するための手段】
本発明は、液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアは、その縦方向の全領域において、横方向の中央領域が加圧されて、前記中央領域の繊維密度が、横方向の両側領域の繊維密度よりも高くされ、前記下層の吸収コアの剛軟度は、前記中央領域が、前記両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とするものである。
また本発明は、液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアには、その縦方向の全領域において、横方向の中央領域に補強部材が設けられ、前記下層の吸収コアの剛軟度は、前記中央領域が、横方向の両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とするものである。
また本発明は、液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアは、その縦方向の全領域において、横方向の中央領域が横方向の両側領域よりも熱融着した熱可塑性繊維を多く含み、前記下層の吸収コアの剛軟度は、前記中央領域が、前記両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とするものである。
さらに本発明は、液透過性のトップシートと、バックシートと、前記トップシートとバックシートの間に設けられた吸収コアとを有する積層体で構成された吸収性物品において、
前記吸収コアは、バックシート側の下層の吸収コアおよびその上に重ねられる上層の吸収コアの少なくとも２層で形成されており、
装着者の下腹部から尻部に向って延びる方向を縦方向、これと直交する方向を横方向としたときに、
前記下層の吸収コアは、その縦方向の全領域において、横方向の中央領域が、横方向の両側領域よりも高吸収性ポリマーを多く含み、あるいは前記中央領域にのみ高吸収性ポリマーが含まれており、前記下層の吸収コアの剛軟度は、前記中央領域が、前記両側領域よりも高く、かつ前記中央領域と前記両側領域の境界部に縦方向に延びる溝が形成されており、
前記上層の吸収コアには、下層の吸収コアに形成された前記溝と重なる部分に、縦方向に延びる溝が形成されていることを特徴とするものである。
【００１１】
この吸収性物品は、尿取りパッド、失禁パッドまたは生理用ナプキンなどのように、パンツやおむつなどの外部装着体の内側に重ねて使用するものにおいて有効である。吸収性物品を構成する積層体に、縦方向に延びる剛軟度の高い領域を設けておくことにより、外部装着体の内側に装着された状態の吸収性物品に、縒れやたくれを生じにくくなり、フラットな状態で装着されやすくなる。
【００１２】
そのためには、前記中央領域の横方向の幅寸法が１０ｍｍ以上で６０ｍｍ以下であることが好ましい。
【００１３】
また、液を吸収しない未使用時において、前記中央領域における積層体のＪＩＳ・Ｐ８１２５テーパースティフネステストで測定した縦方向の剛軟度が、両側領域における積層体の縦方向の剛軟度の２倍以上であることが好ましい。
【００１５】
なお、前記両側領域での積層体のＪＩＳ・Ｐ８１２５テーパースティフネステストで測定した縦方向の剛軟度が、液を吸収しない未使用時において１９ｍＮ・ｃｍ以上で４００ｍＮ・ｃｍ以下であることが好ましい。
【００１６】
この範囲とすることにより、剛軟度の低い領域の吸収コアの肌への接触が優しくなる。
【００１９】
例えば、前記中央領域では、吸収コアが全面的に加圧されることにより剛軟度が高くされていることができる。
【００２２】
また、前記吸収コアには、前記中央領域と前記両側領域の境界部において、縦方向に延びる溝が形成されていることが好ましい。
【００２３】
また、前記中央領域に、横方向に延びる軟質化された折曲部を設け、この折曲部を介して縦方向に重なる状態に折り曲げ可能とすることもできる。なおこの折曲部は、前記中央領域のみではなく、前記両側領域まで延び、吸収コアを横方向に横断していてもよい。
【００２４】
【発明の実施の形態】
図１は吸収性物品の一例として大人用の尿取りパッド（または失禁パッド）を下層の吸収コアのみで形成した場合を参考例として示す斜視図、図２はその展開状態を示す平面図、図３は図２のＩＩＩ−ＩＩＩ線の断面図、図４（Ａ）（Ｂ）（Ｃ）は下層の吸収コアの剛軟度強化手段の構造を形態別に示す断面図、図５は外部装着体であるパンツの内側に吸収性物品が装着された状態を示す斜視図である。
【００２５】
この吸収性物品１は、図３の断面図に示すように、装着者の肌に向けられる液透過性のトップシート２と、パンツやおむつなどの外部装着体に向けられるバックシート３と、トップシート２とバックシート３との間に設けられる吸収コア４とを有する積層体１Ａにより構成されている。前記バックシート３は液不透過性シートである。ただし外部装着体としてパンツ型やオープン型のおむつが使用され、このおむつの内側に設置されるものである場合に、前記バックシート３の一部の領域または全領域が液透過性であって、吸収性物品１の吸収コア４で吸収しきれない尿がおむつの吸収体へ伝わるようにしてもよい。
【００２６】
トップシート２は、疎水性繊維に親水処理したものまたは親水性繊維などで形成されたものであり、例えばポイントボンド、エアースルー、スパンボンド、スパンレースなどの不織布である。またバックシート３はオレフィン系の樹脂シート、不織布、樹脂シートと不織布とを重ねたものなどにより形成されている。吸収コア４は、粉砕パルプあるいは粉砕パルプと高吸水性ポリマーなどの混合物により形成され、粉砕パルプ、あるいは粉砕パルプと高吸水性ポリマーとの混合物がティッシュなどの吸収性シートで包まれている。
【００２７】
吸収コア４が、トップシート２とバックシート３とで挟まれた状態で、図１や図２に示すように、トップシート２とバックシート３は、吸収性物品１の縦方向両端の縁部５，５、横方向両側の縁部６，６において互いに重ねられ、ホットメルト型接着剤などにより両シート２と３とが接合されている。
【００２８】
装着者の下腹部から尻部に向けられる方向が縦方向（Ｙ方向）、これに直交する方向（Ｘ方向）を横方向としたとき、図１と図２に示す吸収性物品１は、縦方向が長手方向となる全体がいわゆる砂時計形状である。すなわちトップシート２、バックシート３、吸収コア４が全て砂時計形状である。ただし吸収コア４のみが長方形であってもよいし、吸収性物品１全体が長方形であってもよい。
【００２９】
また吸収性物品１の内面には、横方向の両側部において縦方向に延びる疎水性シート１５，１５の基端部が接合され、その自由端部には縦方向に延びる弾性部材（例えばゴムバンド）１６，１６が伸長させた状態で取り付けられている。その結果、図１に示すように、吸収性物品１の両側部に、装着者の肌に向う立体ギャザーが形成されている。
【００３０】
この吸収性物品１を構成する積層体１Ａは、横方向（Ｘ方向）の中心部の所定幅寸法Ｗの部分が、剛軟度の高い領域（ｉ）である。また前記領域（ｉ）の横方向の両側部で且つ吸収コア４が存在している部分が剛軟度の低い領域（ｉｉ）である。
【００３１】
この剛軟度の差は、積層体１Ａの前記中央領域に剛軟度強化手段を設けることにより構成できる。
【００３２】
まず、図４（Ａ）に示すものでは、吸収コア４の前記幅寸法Ｗの範囲内の中央領域４ａの剛軟度が、吸収コア４の両側領域４ｂ，４ｂの剛軟度よりも高くされ、剛軟度を高くした吸収コア４の中央領域４ａが剛軟度強化手段１１を構成している。
【００３３】
吸収コア４の中央領域４ａの剛軟度を、吸収コア４の両側領域４ｂ，４ｂの剛軟度よりも高くするには、中央領域４ａの繊維密度を両側領域４ｂ，４ｂの繊維密度よりも高くすることにより達成できる。例えば、吸収コア４を形成する際に、中央領域４ａと両側領域４ｂ，４ｂを一定の厚みの繊維層で形成し、さらに中央領域４ａのみに他の繊維層を重ね、中央領域４ａのみをあるいは中央領域４ａと両側領域４ｂ，４ｂの双方を加圧または加熱加圧して、吸収コア４全体を同じ厚さとする。または、吸収コア４を形成する過程で、中央領域４ａにおいて繊維層の嵩が多く（目付けが多く）、両側領域４ｂ，４ｂにおいて嵩の少ない（目付けの少ない）繊維ウエッブを形成し、これを加圧または加熱加圧して、全体を同じ厚さとする。これにより中央領域４ａの剛軟度を両側領域４ｂ，４ｂの剛軟度よりも高くできる。
【００３４】
または、吸収コア４の中央領域４ａに、親水処理した熱可塑性繊維を、両側領域４ｂ，４ｂよりも多く含ませ、中央領域４ａまたは吸収コア４全体に熱風を与え、中央領域４ａにおいて比較的多くの熱可塑性繊維どうしを熱融着させ、これにより中央領域４ａの剛軟度を両側領域４ｂ，４ｂの剛軟度よりも高くしてもよい。これにより、吸収コア４の中央領域４ａそのものを、剛軟度強化手段１１にできる。
【００３５】
あるいは、吸収コア４が、粉砕パルプなどの吸水性繊維および／または親水性繊維（親水処理した疎水性繊維を含む）と、高吸収性ポリマーとの混合体である場合に、中央領域４ａに含まれる高吸収性ポリマーの量を両側領域４ｂ，４ｂでの高吸収性ポリマーの量よりも多くし、あるいは中央領域４ａのみに高吸収性ポリマーを含ませる。そして、少量の水分を与えることにより高吸収性ポリマーを介して繊維どうしを密着させ、これにより中央領域４ａでの剛軟度を高くしてもよい。
【００３６】
図４（Ｂ）では、吸収コア４の中央領域の幅寸法Ｗの領域内に補強部材７が埋設されており、この補強部材７が剛軟度強化手段１２となっている。
【００３７】
補強部材７が設けられていない部分の吸収コア４は、主に吸水性繊維、または吸水性繊維と高吸収性ポリマーとの混合体で形成されているが、前記補強部材７は、親水処理した熱可塑性繊維を熱融着させた剛性の高いエアースルー不織布などである。この幅寸法Ｗの範囲内での吸収コア４の吸水能力および保水能力を低下させないためには、前記幅寸法Ｗ内において吸収コア（吸収コアを構成する吸収性素材）と補強部材７とを横方向に交互に配置することが好ましい。また補強部材７は縦方向に連続的に延びるストライプ状に埋設する。
【００３８】
上記の補強部材７を設けると、幅寸法Ｗ内での積層体１Ａの剛軟度をその両側領域４ｂ，４ｂの剛軟度よりも高くできる。
【００３９】
図４（Ｃ）では、吸収コア４の中央領域の幅寸法Ｗの領域内に補強部材８が設けられ、この補強部材８が剛軟度強化手段１３となっている。
【００４０】
前記補強部材８は、幅寸法がＷで厚さが比較的薄く且つ縦方向に長い補強板である。この補強板は、厚紙、樹脂シート、発泡樹脂板などである。この補強板は吸収コア４に埋設されていてもよいし、吸収コア４とバックシート３との間に介在していてもよい。この場合、補強板は吸収コア４に接着され、あるいはバックシート３に接着されていてもよい。または補強板はバックシート３の外面に接着されていてもよい。さらに補強板が複数枚使用され、横方向に間隔を空けて前記幅寸法Ｗ内に配置されてもよい。
【００４１】
なお、図の実施の形態では、剛軟度の高い領域（ｉ）が縦方向において一定の幅寸法Ｗの長方形であるが、剛軟度の高い領域（ｉ）が砂時計形状であってもよい。
【００４２】
また、図３に示すように、前記剛軟度強化手段１１または１２または１３が設けられている剛軟度の高い領域（ｉ）と、その両側の剛軟度の低い領域（ｉｉ）との境界部で、吸収コア４に縦方向に延びる溝４ｃが形成されている。この溝４ｃの部分では、エンボス線を形成するように加圧することにより吸収コアが薄くなっており、あるいは吸収コア４を構成する繊維が除去されている。この溝４ｃを設けることにより、剛軟度の低い領域（ｉｉ）にて吸収性コアが剛軟度の高い領域（ｉ）の影響を受けることなく自由に変形できるようになる。
【００４３】
また、吸収性物品１の縦方向の中心部では、横方向に延びる折曲部（折り曲げ線）２１が形成されている。前記の剛軟度の高い領域（ｉ）では、折曲部２１の部分で剛性が低下している。これは図４に示す前記剛軟度強化手段１１または１２または１３を構成する吸収コア４の中央領域４ａまたは補強部材７あるいは補強部材８に、前記折曲部２１において折り癖をつけ、あるいは折曲部２１において、補強部材等を部分的に除去することにより構成される。
【００４４】
吸収性物品１は、図１に示すように、前記折曲部２１の部分で折り曲げて縦方向に重なる二つ折り状態でパッケージされる。なお、折曲部２１を縦方向に間隔を空けて２箇所に設け、吸収性物品１を三つ折りにしてもよい。
【００４５】
この吸収性物品１を構成する積層体１Ａは横方向の中央領域が剛軟度の高い領域（ｉ）であり、この領域があるために偏平状態を維持しやすくなっているが、前記折曲部２１で曲げて折り畳むことにより、コンパクトに収納できる。
【００４６】
図５は上記吸収性物品１の使用状態の一例を示している。符号３０は外部装着体となるパンツ（またはパンツ型おむつ）である。
【００４７】
図１に示すように吸収性物品１を広げ、パンツ３０のウエスト開口部３１から挿入して、パンツ３０の股領域となる下端部３２に当てる。このとき折曲部２１がパンツ３０の下端部３２の中心部に一致するように当てることにより、吸収性物品１をパンツ３０の下端部の中央部に確実に位置合わせできる。
【００４８】
吸収性物品１をパンツ３０内に当てた状態で、装着者の脚をウエスト開口部３１から脚開口部３３に入れて、パンツ３０を身体に装着するが、このとき剛軟度の高い領域（ｉ）が偏平状態を維持しようとするため、パンツ３０内で吸収性物品１が縒れたりたくれることがない。また前記折曲部２１をパンツ３０の中心部に当てる目安としているため、装着中に吸収性物品１が大きくずれることがない。
【００４９】
また、吸収性物品１を装着者の股間部に装着した状態で、前記剛軟度の高い領域（ｉ）により、吸収性物品１そのものの平坦度を維持でき、装着中に縒れやたくれが生じにくくなる。また両側部に剛軟度の低い領域（ｉｉ）が存在するため、この領域（ｉｉ）が自由に変形し、装着者の股間部から腿にかけて前記領域（ｉｉ）が自由に変形するため、吸収性物品１は股間部に確実に密着する。
【００５０】
また、前記領域（ｉｉ）が軟質であるため、この領域（ｉｉ）の変形により疎水性シート１５が肌方向へ立ち上がりやすくなり、横方向両側部に立体ギャザーが形成され、この立体ギャザーにより尿の横漏れを防止できるようになる。
【００５１】
特に、剛軟度の高い領域（ｉ）と剛軟度の低い領域（ｉｉ）との境界部において、吸収コア４に縦方向に延びる溝４ｃ，４ｃを形成しておくと、領域（ｉ）と領域（ｉｉ）とを分離でき、領域（ｉ）の剛軟度の影響をあまり受けずに領域（ｉｉ）が自由に変形できる。
【００５２】
領域（ｉｉ）が自由に変形できるためには、前記領域（ｉｉ）での吸収コア４を含む積層体のＪＩＳ・Ｐ８１２５テーパースティフネステストで測定した縦方向（Ｙ方向）の剛軟度が、液を吸収しない未使用時において１９ｍＮ・ｃｍ以上で４００ｍＮ・ｃｍ以下であることが好ましい。さらに好ましくは１９ｍＮ・ｃｍ以上で２００ｍＮ・ｃｍ以下である。またさらに好ましくは、１９．６１３３ｍＮ・ｃｍ以上で１９６．１３３ｍＮ・ｃｍ以下である。
【００５３】
大人用としては、吸収コア４の横方向の幅は１００ｍｍ程度であり、積層体１Ａにおける剛軟度の高い領域（ｉ）の横方向の幅寸法Ｗは１０ｍｍ以上で６０ｍｍ以下が好ましい。幅寸法Ｗが６０ｍｍを越えると、大人に装着したときに、腿近くまで前記領域（ｉ）が延びることになって、装着状態で股間部に違和感を感じやすい。また前記１０ｍｍ未満であると、剛軟度の低い領域（ｉｉ）の面積が広くなって、吸収性物品１の横方向の両側部でまくれなどが生じやすくなり、身体への装着の安定性が損なわれる。以上の点を考慮すると、更に好ましくは、剛軟度の高い領域（ｉ）の横方向の幅寸法Ｗは１５ｍｍ以上で２０ｍｍ以下である。
【００５４】
さらに、幅寸法Ｗ内に配置された剛軟度強化手段１１または１２あるいは１３を含む積層体、すなわち剛軟度が高くされた吸収コア４の中心部４ａでの積層体、あるいは補強部材７（複数個の場合を含む）または補強部材８を有する部分の積層体の剛軟度については、液を吸収しない未使用時において、ＪＩＳ・Ｐ８１２５テーパースティフネステストで測定した縦方向の剛軟度が、前記剛軟度強化手段を有していない部分の積層体の前記縦方向の剛軟度の２倍以上であり、液を吸収した状態においても、前記剛軟度強化手段１１または１２あるいは１３を有する積層体の前記剛軟度が、剛軟度の低い領域（ｉｉ）での積層体の前記剛軟度と同じまたはそれよりも高いことが好ましい。
【００５５】
剛軟度強化手段１１または１２あるいは１３を有する積層体の剛軟度を、他の領域での積層体（吸収コアが存在する）の剛軟度の２倍以上とすることにより、吸収性物品１を装着したときの平坦度を高くでき、縒れやたくれを防止できる。
【００５６】
さらに、前記剛軟度の高い領域（ｉ）は少なくとも吸収性物品１の縦方向の中心部に存在していることが必要である。また前記領域（ｉ）の縦方向の長さをＬ１、前記吸収コアの縦方向の長さをＬ０としたときに、Ｌ１がＬ０の１／２以上であることが好ましい。このように構成すると、吸収性物品１は少なくとも装着者の股間部に当たる部分での縒れやたくれを防止できるようになる。
【００５７】
なお、本発明の吸収性物品は、パンツまたはパンツ型おむつの内側に装着されるものに限られず、オープン型おむつの内側に装着して使用することができる。また生理用ナプキンとして使用することもできる。
【００５８】
図６は、本発明の吸収性物品の実施の形態を示す断面図である。
図６に示す吸収性物品１００は、吸収コア及び剛軟度強化手段以外の点は図１および図２に示す吸収性物品１と実質上同じ構成であり、図３と共通する部材に関しては図３に示す番号と同じ符号を付与して説明を省略する。
【００５９】
図６に示す吸収性物品１００では、吸収コアが上層４０と下層４１との２層構造である。上層４０及び下層４１は、それぞれ前記した吸収コア４と同様の部材から構成され、粉砕パルプあるいは粉砕パルプと高吸水性ポリマーなどの混合物により形成され、粉砕パルプ、あるいは粉砕パルプと高吸水性ポリマーとの混合物がティッシュなどの吸収性シートで包まれている。この場合、上層４０を粉砕パルプ、下層４１を粉砕パルプと高吸水性ポリマーとで構成すると、排泄液が上層４０から下層４１へと移行しやすくなるので好ましい。またこの場合、各層が別々に吸収性シートで包まれていてもよく、または、上層４０と下層４１とが一体に包まれていても良い。なお、前記上層４０が親水処理された疎水性繊維のみで形成された液透過性のクッション層であり、前記上層４０に与えられた体液が、上層４０にあまり留まらず、下層４１に浸透するような構造であってもよい。
【００６０】
下層４１の幅寸法Ｗ１で示される中央領域（以下、中央領域Ｗ１とする）には、剛軟度強化手段が付加されている。この実施の形態の剛軟度強化手段では、前記中央領域Ｗ１において下層４１の吸収コアの上下両面に、吸収性物品１００の縦方向に連続して延びるエンボス線（圧縮凹線）５０ａ、５０ｂ、５０ｃ、５１ａ、５１ｂ、５１ｃが形成されている。エンボス線５０、５１の形成によりその部分の繊維密度が高くなり、その結果、中央領域Ｗ１の剛軟度が高くなっている。エンボス処理はエンボスロールやエンボス板によって施される。なお、エンボス線を確実に形成するため、加熱下でエンボス処理、例えばヒートエンボスロールを用いて処理することが好ましい。
【００６１】
また、前記下層４１においては、前記中央領域Ｗ１での剛軟度が、左右両側での前記下層４１の剛軟度よりも高く、好ましくは剛軟度が２倍以上である。
【００６２】
この下層４１の上側、すなわち、装着者側には上層４０が重ねられている。上層４０の中央領域には、下層４１に設けられているようなエンボス線は設けられていない。よって上層４０において前記下層４１の中央領域Ｗ１と重なる部分の剛軟度は、前記下層４１の中央領域Ｗ１での剛軟度よりも低くなっている。この上層４０の存在によって、装着者は下層４１の剛性を感じることがなく、吸収性物品１００は肌触りの良いものとなる。
【００６３】
上層４０と下層４１とが積層された吸収コアでは、剛軟度の高い領域（ｉ）と、その両側の剛軟度の低い領域（ｉｉ）との境界部で、上層４０に縦方向に延びる溝４０ｃが、下層４１に同じく縦方向に延びる溝４１ｃが形成されている。この溝４０ｃ、４１ｃはエンボス線（圧縮凹線）であり、吸収コアを構成する繊維が圧縮されて形成されている。また、図６の実施の形態では、上層４０の前記溝４０ｃと下層４１の前記溝４１ｃとが、一緒に同時に加圧（または加熱加圧）され、溝４０ｃと溝４１ｃとが同じ場所に重なるようにして形成されている。
【００６４】
この溝４０ｃ、４１ｃを設けることにより、下層４１側では、剛軟度の低い領域（ｉｉ）にて吸収性コアが剛軟度の高い領域（ｉ）（中央領域Ｗ１）の影響を受けることなく自由に変形できるようになる。また上層４０においても、前記剛軟度の高い領域（ｉ）と重なる部分と、前記剛軟度の低い領域（ｉｉ）と重なる部分との境界で上層４０のコアが自由に曲がることができるようになる。よって上層４０では左右両側部分が、下層４１の左右両側の剛軟度の低い領域（ｉｉ）と一緒に変形できるようになり、吸収性物品１００は全体として体の形状や体位の変化に追従しやすいものとなる。
【００６５】
なお、エンボス線５０、５１並びに溝４０ｃ、４１ｃでは、吸収コアが圧縮されて形成されるため、繊維の密度が高くなっている。したがって、エンボス線５０、５１並びに溝４０ｃ、４１ｃの付近では毛細管現象により排泄液の吸収速度が速くなる。また、縦方向へと排泄液が拡散されやすく、吸収能を高くすることができる。
【００６６】
以上、剛軟度強化手段をエンボス線によって形成する例を述べたが、剛軟度を高めるエンボス処理は連続線ではなく、間欠線や波線、丸や四角や三角などの模様でも良い。または下層４１の中央領域Ｗ１で吸収コア全体が加圧されて剛軟度強化手段とされていてもよい。また、吸収コアは、図６に示すように２層構造に限られず、３層以上積層させた構造であってもよい。その他、吸収コアが多層構造である場合、装着者側の層（上層）の中央領域にもエンボス処理が施されていても良い。その場合、装着感を考慮して、上層に形成されているエンボス量（面積）は下層に形成されているエンボス量（面積）より少ないことが好ましい。
【００６７】
さらに、図４（Ａ）（Ｂ）（Ｃ）に示すようにして形成された吸収コアを下層として使用し、その上に図６に示した上層４０を重ねてもよい。
【００６８】
【発明の効果】
以上のように本発明の吸収性物品は、装着した状態で縒れやたくれを防止でき、しかも股間部への密着性がよく、さらに装着感を損なうことがない。またパンツなどの外部装着体に装着しやすい。また中央領域で肌への接触感触が良好になる。
【図面の簡単な説明】
【図１】参考例の吸収性物品の斜視図、
【図２】図１に示す吸収性物品の平面図、
【図３】図２のＩＩＩ−ＩＩＩ線の断面図、
【図４】（Ａ）（Ｂ）（Ｃ）は剛軟度強化手段の構造を形態別に示す断面図、
【図５】吸収性物品の装着状態の一例を示す斜視図、
【図６】本発明の吸収性物品の実施の形態を示す断面図、
【符号の説明】
１、１００  吸収性物品
１Ａ、１Ｂ  積層体
２  トップシート
３  バックシート
４  吸収コア
４ａ  剛軟度を高くした中央領域
４ｂ  両側領域
４ｃ  溝
７，８  補強部材
１１，１２，１３  剛軟度強化手段
３０  外部装着体（パンツ）
４０  上層
４０ｃ  溝
４１  下層
４１ｃ  溝
５０ａ、５０ｂ、５０ｃ  エンボス線
５１ａ、５１ｂ、５１ｃ  エンボス線
（ｉ）剛軟度の高い領域
（ｉｉ）剛軟度の低い領域
【図１】
0004198849.tif 000002
【図２】
0004198849.tif 000003
【図３】
0004198849.tif 000004
【図４】
0004198849.tif 000005
【図５】
0004198849.tif 000006
【図６】
0004198849.tif 000007